【事件の表示】
　特願２００２−３８０２７５「画像入力方法及び画像入力装置」拒絶査定不服審判事件〔平成１６年　７月２９日出願公開、特開２００４−２１３２１５〕について、次のとおり審決する。
【結　論】
　本件審判の請求は、成り立たない。
【理　由】
１．手続の経緯
　本願は、平成１４年１２月２７日の出願であって、平成１８年４月２０日付けで拒絶査定がなされ、これに対し、平成１８年５月２５日に拒絶査定に対する審判請求がなされるとともに、同年６月２６日付けで手続補正がなされたものである。
　
２．平成１８年６月２６日付けの手続補正についての補正却下の決定
[補正却下の決定の結論]
　平成１８年６月２６日付けの手続補正を却下する。
[理由]
（１）補正後の本願発明
　本件補正により、特許請求の範囲の請求項１は、
「デジタルカメラにより画像を撮像する画像撮像手段及び画像を表示する画像表示手段を有する携帯型画像入力装置に適用する画像入力方法であって、
　前記画像撮像手段による撮像開始時に、入力対象画像を特定するための初期時ガイド情報を前記画像表示手段に表示するステップと、
　前記初期時ガイド情報の位置に基づいて、前記画像撮像手段により撮像された画像から画像処理の対象領域を抽出できるか否かを判定するステップと、
　前記判定ステップの判定結果に基づいて、前記対象領域を抽出するために必要な前記画像撮像手段による撮像操作をガイドするための操作ガイド情報であって、前記デジタルカメラの位置ずれ及び前記デジタルカメラの焦点距離の状態を示す情報を含む前記操作ガイド情報を作成するステップと、
　前記操作ガイド情報を前記画像表示手段に表示するステップと、
　前記判定結果から前記対象領域の抽出が可能である場合に、前記画像撮像手段により撮像された画像から画像処理の対象領域を抽出するステップと
を有する手順を実行することを特徴とする画像入力方法。」と補正された。
　上記補正は、請求項１に記載した発明を特定するために必要な事項について限定を付加するものであって、平成１８年改正前特許法第１７条の２第４項第２号の特許請求の範囲の減縮を目的とするものに該当する。
　そこで、本件補正後の前記請求項１に記載された発明（以下、「本願補正発明」という）が特許出願の際独立して特許を受けることができるものであるか（平成１８年改正前特許法第１７条の２第５項において準用する同法第１２６条第５項の規定に適合するか）について以下に検討する。
　
（２）刊行物
　原審拒絶理由で引用された、本願の出願日前である平成１４年７月２日に頒布された「特開２００２−１８６９１１号公報」（以下、「刊行物１」という）は、「紙葉類区分方法」に関するものであって、その公報には次の事項が記載されている。
（ア）　「図１には、この発明の実施の形態に係る紙葉類区分装置１（以下、区分機１と称する）の概略構成を示してある。また、図２には、区分機１の要部の構成を部分的に拡大した外観を斜視図にして示してある。
区分機１は、（中略）搬送路４を介して搬送されている紙葉類の表面からその区分先に関する情報（以下、単に区分情報と称する）を読み取る読取部５を有する。
供給部２の上方には、区分機１を操作するオペレータによる各種操作入力を受け付けるとともに、オペレータに対し各種操作案内を表示するタッチパネル式の操作表示パネル１０（設定部、報知部、表示パネル）が設けられている。特に、この操作表示パネル１０を介して、読取部５で読み取った紙葉類の画像を表示するとともに、後述する矩形枠状のカーソルを紙葉類の画像に重ねて表示する。このカーソルは、紙葉類上の区分情報の読取位置を示し、オペレータによってこのカーソルの座標が予め設定されるようになっている。つまり、オペレータは、操作表示パネル１０を介して表示されているカーソルの一部に触れてその座標を移動することにより、読取部５における区分情報の読取位置を設定することができる。」（３頁段落【００１０】ないし【００１２】、図１、２）
（イ）　「次に、本発明の処理について、図４のフローチャートとともに、図５乃至図７を参照して説明する。図５には、区分情報の読取位置を設定する際に操作表示パネル１０を介して表示される画面例を示してある。また、図６には、操作表示パネル１０を介して予め設定した読取位置に対する区分情報の記載位置のズレを説明するための図を示し、図７には、各ズレに対して操作表示パネル１０を介して表示される表示例を示してある。
まず、オペレータの手作業により処理対象となる複数枚の紙葉類が供給部２にセットされる（ステップ１）。そして、オペレータによってタッチパネル式の操作表示パネル１０が操作され、読取部５における区分情報の読取位置が設定される（ステップ２）。
ステップ２で区分情報の読取位置を設定する場合、まず、図５（ａ）に示す画面に従って、読取位置を規定する矩形枠状のカーソルＣの座標がラフに設定される。すなわち、操作表示パネル１０を介して図５（ａ）のような読取位置調整画面を表示させた状態で、オペレータが画面上に表示されているカーソルＣの左上角Ａまたは右下角Ｂに触れて任意の位置に移動させ、各点Ａ、Ｂの座標を任意の位置に設定することによりカーソルＣの座標を設定する。
そして、オペレータによって、図５（ｂ）に示す画面上の“運転”スイッチが押された後“一通供給開始”スイッチが押されて一通供給モードが選択されると、供給部２の端部の紙葉類が１枚だけ取出されて読取部５を通過される。これにより、上記のように座標がラフに設定されたカーソルＣに重ねて実際の紙葉類の画像が表示され、操作表示パネル１０を介して実際の紙葉類に記載されている区分情報の記載位置とカーソルＣ枠内の読取位置とが比較可能となる（図５ｃ）。
この状態で、オペレータにより、カーソルＣの座標が再設定され、読取部５における区分情報の読取位置が設定される。尚、この読取位置は、オペレータの要求に応じて図５（ｃ）の画面を表示して任意のタイミングでいつでも再設定可能である。
ステップ２で読取位置が設定されると、供給部２を介して供給された紙葉類の取出しが開始されて紙葉類が１枚ずつ搬送路４上に取出され（ステップ３）、搬送路４を通過する紙葉類の画像が読取部５を介して順次読み取られ（ステップ４）、各紙葉類から読み取った区分情報に基づいて判別部６にてその区分先が判別され、この判別結果に従って所定の区分先へ区分集積される（ステップ５）。
ステップ３〜ステップ５の処理動作中に、判別部６の制御ＣＰＵユニット８が、認識ユニット７から入力される認識結果に基づいて、ステップ２でカーソルＣで設定した読取位置が実際の紙葉類の区分情報の記載位置とズレていることを検知した場合（ステップ６；ＹＥＳ）、このズレが同じ方向（上下左右）に所定回数（本実施の形態では２０回）連続して生じていることを条件に（ステップ７；ＹＥＳ）、操作表示パネル１０を介して読取位置にズレを生じていることをオペレータに対して表示（報知）し（ステップ８）、オペレータに読取位置の再設定を促す。
例えば、図６（ａ）に示すようにカーソルＣの左端に区分情報の一部が接触している状態が２０回連続して検知された場合、図７（ａ）に示すようにカーソルＣの左辺が点滅表示されて“左端が接触しています座標枠を左側に拡げてください。”といったメッセージが表示される。また、図６（ｂ）に示すようにカーソルＣの右端に区分情報の一部が接触している状態が２０回連続して検知された場合、図７（ｂ）に示すようにカーソルＣの右辺が点滅表示されて“右端が接触しています座標枠を右側に拡げてください。”といったメッセージが表示される。また、図６（ｃ）に示すようにカーソルＣの上端に区分情報の一部が接触している状態が２０回連続して検知された場合、図７（ｃ）に示すようにカーソルＣの上辺が点滅表示されて“上端が接触しています座標枠を上側に拡げてください。”といったメッセージが表示される。さらに、図６（ｄ）に示すようにカーソルＣの下端に区分情報の一部が接触している状態が２０回連続して検知された場合、図７（ｄ）に示すようにカーソルＣの下辺が点滅表示されて“下端が接触しています座標枠を下側に拡げてください。”といったメッセージが表示される。
一方、ステップ２で設定した読取位置と区分情報の実際の記載位置との間に２０回連続する程度のズレを生じていない場合（ステップ６；ＮＯ、ステップ７；ＮＯ）、供給部２に投入された紙葉類が空になっていないことを条件に（ステップ９；ＮＯ）、ステップ３〜ステップ５の処理が繰り返される。」（４頁段落【００２２】ないし５頁段落【００３０】、図４ないし７）
（ウ）　してみると、刊行物１には、以下の発明（以下、「刊行物１発明」という）が記載されている。
「紙葉類の表面からその区分先に関する情報を読み取る読取部５を有し、供給部２の上方に設けられた操作表示パネル１０を介して、読取部５で読み取った紙葉類の画像を表示するとともに、矩形枠状のカーソルを紙葉類の画像に重ねて表示し、カーソルは、紙葉類上の区分情報の読取位置を示し、オペレータによってカーソルの座標が予め設定されるようになっているものであり、オペレータにより、処理対象となる複数枚の紙葉類が供給部２にセットされ、操作表示パネル１０を介して表示される画面に従って、読取部５における区分情報の読取位置を規定する表示された矩形枠状のカーソルＣの座標が設定され、“運転”スイッチが押された後“一通供給開始”スイッチが押されて一通供給モードが選択され、供給部２の端部の紙葉類が１枚だけ取出されて読取部５を通過されるものであり、これにより、座標がラフに設定されたカーソルＣに重ねて実際の紙葉類の画像が表示され、操作表示パネル１０を介して実際の紙葉類に記載されている区分情報の記載位置とカーソルＣ枠内の読取位置とが比較可能となり、オペレータにより、カーソルＣの座標が再設定され、読取部５における区分情報の読取位置が設定されるものであり、カーソルＣで設定した読取位置が実際の紙葉類の区分情報の記載位置とズレていることを検知した場合、オペレータに読取位置の再設定を促すものであり、判別部６の制御ＣＰＵユニット８が、認識ユニット７から入力される認識結果に基づいて、カーソルＣで設定した読取位置が実際の紙葉類の区分情報の記載位置とズレていることを検知した場合、このズレが同じ方向に所定回数連続して生じていることを条件に、操作表示パネル１０を介して読取位置にズレを生じていることをオペレータに対して表示し、オペレータに読取位置の再設定を促すものであり、カーソルＣの左端に区分情報の一部が接触している状態が検知された場合、カーソルＣの左辺が点滅表示されて“左端が接触しています座標枠を左側に拡げてください。”といったメッセージが表示され、また、カーソルＣの右端に区分情報の一部が接触している状態が検知された場合、に示すようにカーソルＣの右辺が点滅表示されて“右端が接触しています座標枠を右側に拡げてください。”といったメッセージが表示され、また、カーソルＣの上端に区分情報の一部が接触している状態が検知された場合、カーソルＣの上辺が点滅表示されて“上端が接触しています座標枠を上側に拡げてください。”といったメッセージが表示され、さらに、カーソルＣの下端に区分情報の一部が接触している状態が検知された場合、カーソルＣの下辺が点滅表示されて“下端が接触しています座標枠を下側に拡げてください。”といったメッセージが表示されるものであり、読取位置が設定されると、紙葉類の画像が読取部５を介して順次読み取られるものであり、設定した読取位置と区分情報の実際の記載位置との間に２０回連続する程度のズレを生じていない場合、紙葉類が空になっていないことを条件に繰り返されるものである
　紙葉類区分方法」
　　
（３）対比・判断
ア　本願補正発明と刊行物１発明との対比
（ア）刊行物１発明は、紙葉類の表面からその区分先に関する情報を読み取る読取部５を有し、供給部２の上方に設けられた操作表示パネル１０を介して、読取部５で読み取った紙葉類の画像を表示するとともに、矩形枠状のカーソルを紙葉類の画像に重ねて表示し、カーソルは、紙葉類上の区分情報の読取位置を示し、オペレータによってカーソルの座標が予め設定されるようになっているものであり、オペレータにより、処理対象となる複数枚の紙葉類が供給部２にセットされ、操作表示パネル１０を介して表示される画面に従って、読取部５における区分情報の読取位置を規定する表示された矩形枠状のカーソルＣの座標が設定され、“運転”スイッチが押された後“一通供給開始”スイッチが押されて一通供給モードが選択され、供給部２の端部の紙葉類が１枚だけ取出されて読取部５を通過されるものであり、これにより、座標がラフに設定されたカーソルＣに重ねて実際の紙葉類の画像が表示され、操作表示パネル１０を介して実際の紙葉類に記載されている区分情報の記載位置とカーソルＣ枠内の読取位置とが比較可能となり、オペレータにより、カーソルＣの座標が再設定され、読取部５における区分情報の読取位置が設定されるものであり、上記「操作パネルを介して表示された画面」は本願補正発明の「画像表示手段」に相当するといえ、上記矩形枠状のカーソルＣは運転開始時に表示されるものといえ、本願補正発明の「初期時ガイド情報」に相当するといえるから、本願補正発明と刊行物１発明とは、「前記画像撮像手段による撮像開始時に、入力対象画像を特定するための初期時ガイド情報を前記画像表示手段に表示するステップ」を有する点で一致している。
　刊行物１発明は、上記の如くカーソルＣで設定した読取位置が実際の紙葉類の区分情報の記載位置とズレていることを検知した場合、オペレータに読取位置の再設定を促すものであり、上記ズレがあるということは、画像処理の対象領域を抽出できないということであるから、本願補正発明と刊行物１発明とは、「前記初期時ガイド情報の位置に基づいて、前記画像撮像手段により撮像された画像から画像処理の対象領域を抽出できるか否かを判定するステップ」を有する点で一致している。
　刊行物１発明は、判別部６の制御ＣＰＵユニット８が、認識ユニット７から入力される認識結果に基づいて、カーソルＣで設定した読取位置が実際の紙葉類の区分情報の記載位置とズレていることを検知した場合、このズレが同じ方向に所定回数連続して生じていることを条件に、操作表示パネル１０を介して読取位置にズレを生じていることをオペレータに対して表示し、オペレータに読取位置の再設定を促すものであり、カーソルＣの左端に区分情報の一部が接触している状態が検知された場合、カーソルＣの左辺が点滅表示されて“左端が接触しています座標枠を左側に拡げてください。”といったメッセージが表示され、また、カーソルＣの右端に区分情報の一部が接触している状態が検知された場合、に示すようにカーソルＣの右辺が点滅表示されて“右端が接触しています座標枠を右側に拡げてください。”といったメッセージが表示され、また、カーソルＣの上端に区分情報の一部が接触している状態が検知された場合、カーソルＣの上辺が点滅表示されて“上端が接触しています座標枠を上側に拡げてください。”といったメッセージが表示され、さらに、カーソルＣの下端に区分情報の一部が接触している状態が検知された場合、カーソルＣの下辺が点滅表示されて“下端が接触しています座標枠を下側に拡げてください。”といったメッセージが表示されるものである。そして上記メッセージは、本願補正発明の「対象領域を抽出するために必要な前記画像撮像手段による撮像操作をガイドするための操作ガイド情報であって、であって位置ずれの状態を示す情報を含む操作ガイド情報」に相当するものといえ、当該メッセージが作成され、本願補正発明の「画像表示手段」に相当するものに表示されるものといえるから、本願補正発明と刊行物１発明とは、「判定ステップの判定結果に基づいて、前記対象領域を抽出するために必要な前記画像撮像手段による撮像操作をガイドするための操作ガイド情報であって、位置ずれの状態を示す情報を含む前記操作ガイド情報を作成するステップ」及び「操作ガイド情報を前記画像表示手段に表示するステップ」を有する点で一致している。
　刊行物１発明は、読取位置が設定されると、紙葉類の画像が読取部５（本願補正発明の「画像撮像手段」に対応）を介して順次読み取られるものであり、読み取る領域が抽出されているといえ、そして、この処理工程が、設定した読取位置と区分情報の実際の記載位置との間に２０回連続する程度のズレを生じていない場合、紙葉類が空になっていないことを条件に繰り返されるものであるから、本願補正発明と刊行物１発明とは、「判定結果から対象領域の抽出が可能である場合に、画像撮像手段により撮像された画像から画像処理の対象領域を抽出するステップ」を有する点に相当する構成が伺える。
　そして、上記検討を考慮すれば、本願補正発明と刊行物１発明とは、「画像を撮像する画像撮像手段及び画像を表示する画像表示手段を有する画像入力装置に適用する画像入力方法」であり、上記の「手順を実行する画像入力方法。」である点で一致しているといえる。
　
（イ）したがって、両者は
「画像を撮像する画像撮像手段及び画像を表示する画像表示手段を有する画像入力装置に適用する画像入力方法であって、
　前記画像撮像手段による撮像開始時に、入力対象画像を特定するための初期時ガイド情報を前記画像表示手段に表示するステップと、
　前記初期時ガイド情報の位置に基づいて、前記画像撮像手段により撮像された画像から画像処理の対象領域を抽出できるか否かを判定するステップと、
　前記判定ステップの判定結果に基づいて、前記対象領域を抽出するために必要な前記画像撮像手段による撮像操作をガイドするための操作ガイド情報であって、位置ずれの状態を示す情報を含む前記操作ガイド情報を作成するステップと、
　前記操作ガイド情報を前記画像表示手段に表示するステップと、
　前記判定結果から前記対象領域の抽出が可能である場合に、前記画像撮像手段により撮像された画像から画像処理の対象領域を抽出するステップと
を有する手順を実行することを特徴とする画像入力方法。」である点で一致し、次の点で相違しているものと認められる。
ａ　本願補正発明は、「デジタルカメラにより」画像を撮像する「携帯型」画像入力装置であって、操作ガイド情報が、「デジタルカメラの位置ずれ及びデジタルカメラの焦点距離」の状態を示すのに対し、刊行物１発明は、読取部により画像を入力する携帯型でない画像入力装置であり、操作ガイド情報が、読取部の位置ずれの状態を示すものであるが、デジタルカメラの位置ずれ及びデジタルカメラの焦点距離の状態を示すものでない点
　　
イ　相違点ａについての検討
　例えば、特開２００２−１７６５０９号公報に有るように、カメラ機能付き携帯電話のデジタルカメラがバーコード情報を認識するもの（同公報段落【０００２】、【０００７】、【００２０】ないし【００２４】参照）であり、デジタルカメラとバーコードとの距離が適切でない状態によりバーコード情報を認識できないときと認識しているときとで異なる報知をする（同公報段落【００２３】ないし【００２４】参照）、あるいは、表示部に表示された外枠、内枠によりバーコード認識可能な距離に携帯電話を位置決めできるようにガイドする（同公報段落【００３５】、図７参照）こと、すなわち焦点距離の状態をガイドする点、及び、デジタルカメラにより画像を撮像する点、携帯型である点は、周知技術といえる。
　そして、刊行物１発明には、位置ずれの状態をガイドする点の開示があるところ、刊行物１発明、刊行物２発明いずれも、撮像した画像から文字を含む記号情報を抽出（認識）する方法についてのものであるから、刊行物２発明の方法を採用して、操作ガイド情報が、「デジタルカメラにより」画像を撮像する「携帯型」画像入力装置とし、「デジタルカメラの位置ずれ及びデジタルカメラの焦点距離」の状態を示すようにすることは、当業者にとって容易に推考できたものであり、また、上記相違点に基づく本願補正発明の効果に格別顕著なものがあるともいえない。
　したがって、本願補正発明は、刊行物１発明に基づいて、当業者が容易に発明をすることができたものであるから、特許法第２９条第２項の規定により特許出願の際独立して特許を受けることができないものである。
　
（４）むすび
　以上のとおり、本件補正は、平成１８年改正前特許法第１７条の２第５項で準用する同法第１２６条第５項の規定に違反するものであり、特許法第１５９条第１項において読み替えて準用する特許法第５３条第１項の規定により却下されるべきものである。
　
３．本願発明について
　平成１８年６月２６日付けの手続補正は上記のとおり却下されたので、本願の請求項１ないし９に係る発明は、平成１８年１月２０日付け手続補正書において補正された明細書の特許請求の範囲の請求項１ないし９に記載された事項により特定されるものと認められるところ、その請求項１に係る発明は以下のとおりのものである。
「画像を撮像する画像撮像手段及び画像を表示する画像表示手段を有する携帯型画像入力装置に適用する画像入力方法であって、
　前記画像撮像手段による撮像開始時に、入力対象画像を特定するための初期時ガイド情報を前記画像表示手段に表示するステップと、
　前記初期時ガイド情報の位置に基づいて、前記画像撮像手段により撮像された画像から画像処理の対象領域を抽出できるか否かを判定するステップと、
　前記判定ステップの判定結果に基づいて、前記対象領域を抽出するために必要な前記画像撮像手段による撮像操作をガイドするための操作ガイド情報を作成するステップと、
　前記操作ガイド情報を前記画像表示手段に表示するステップと、
　前記判定結果から前記対象領域の抽出が可能である場合に、前記画像撮像手段により撮像された画像から画像処理の対象領域を抽出するステップと
を有する手順を実行することを特徴とする画像入力方法。」
　
（１）刊行物
　原審拒絶理由に引用された刊行物、および、その記載事項は、前記「２．（２）」に記載したとおりである。
　
（２）対比・判断
　本願発明は、前記２．で検討した本願補正発明の限定事項である構成を省いたものである。
　そうすると、本願発明の特定事項を全て含み、さらに他の特定事項を付加したものに相当する本願補正発明が、前記「２．（３）」に記載したとおり、刊行物１発明及び周知技術に基づいて、当業者が容易に発明をすることができたものであるから、本願発明も、同様の理由により、刊行物１発明及び周知技術（特開平４−１１２２８２号公報、特開２００２−１５９７４５号公報も参照）に基づいて、当業者が容易に発明をすることができたものである。
　
（３）むすび
　したがって、本願発明は、刊行物１発明及び周知技術に基いて当業者が容易に発明をすることができたものであるので、他の請求項に係る発明について検討するまでもなく、本願は、特許法第２９条第２項の規定により特許を受けることができない。
　よって、結論のとおり審決する。